(57)【要約】【課題】メダルを回収箱に円滑に且つ確実に流下させ、排出させることができるオーバーフローシュートを備えたメダル投出装置を提供する。【解決手段】壁部に囲まれた貯留空間に貯留されたメダルを、下方に配設されたベースプレート上に回転可能に支持された回転ディスクに供給する受け皿と、該貯留空間に基準以上に貯留されたメダルを、該貯留空間の壁部に形成された排出口に誘導し、外部へ排出する傾斜底部を有するオーバーフローシュート４０とを備えたメダル投出装置において、前記オーバーフローシュートが有する傾斜底部の側端には、前記排出口に近接する下流側に上方に延びたメダル押え壁４２と、該メダル押え壁より上流側に上流端部まで連続した円弧形状の誘い込み部４４とが形成されている。【選択図】図１１
2010282528.tif 000002
【特許請求の範囲】
【請求項１】
壁部に囲まれた貯留空間に貯留されたメダルを、下方に配設されたベースプレート上に回転可能に支持された回転ディスクに供給する受け皿と、
該貯留空間に基準以上に貯留されたメダルを、該貯留空間の壁部に形成された排出口に誘導し、外部へ排出する傾斜底部を有するオーバーフローシュートとを備えたメダル投出装置において、
前記オーバーフローシュートが有する傾斜底部の側端には、
前記排出口に近接する下流側に上方に延びたメダル押え壁と、該メダル押え壁より上流側に上流端部まで連続した円弧形状の誘い込み部とが形成されていることを特徴とするメダル投出装置。
【請求項２】
前記傾斜底部は、横断面の一辺がメダル直径より短いＶ字形状に形成されていることを特徴とする請求項１に記載のメダル投出装置。
【発明の詳細な説明】
【技術分野】
【０００１】
本発明は、メダル投出装置、特に受け皿に過剰供給されたメダルを外側の所定位置に適切に排出することができるオーバーフローシュートを備えたメダル投出装置に関する。
【背景技術】
【０００２】
図１には、特許文献１に開示されているスロットマシンやパチスロ機等の遊技機に用いられるメダル投出装置の一例を上から見た状態を示す。
【０００３】
従来のメダル投出装置は、図示されているようにメダルＣを貯留する受け皿１００と、この受け皿１００の下方に配設された、図示しない回転ディスクと、該回転ディスクをモータ駆動により回転可能に支持するベース板と、これらを保持するベースフレームとによってその概略が構成されている。
【０００４】
このようなメダル投出装置は、通常スロットマシンやパチスロ機等の遊技機に備えられている、図示しない筺体内に設置して用いられる。
【０００５】
この筺体には、メダルを投入口からメダル選別装置を経て投入するためのメダル投入経路が設けられており、メダル投出装置を該筺体内の所定位置に設置すると、そのメダル投入経路を経て、図示されている受け皿１００内の長丸で囲んだメダル投入位置Ａに投入されるようになっている。
【０００６】
このように投入されるメダルＣには、矢印で示す流れに沿って左から右に移動すると共に、受け皿１００の下方に配設されている前記回転ディスクに順次供給され、所定の方向に送られて投出される。
【０００７】
又、受け皿１００には、メダルＣが多く投入されすぎた場合に、受け皿１００の壁部に形成されている排出口１０２を通して、筺体内に設置されているメダル回収箱１０４へメダルＣを流すオーバーフローシュート１０６が備えられている。
【先行技術文献】
【特許文献】
【０００８】
【特許文献１】特開２００８−０００５６９号公報
【特許文献２】特開２００７−２０６９５２号公報
【発明の概要】
【発明が解決しようとする課題】
【０００９】
しかしながら、前記特許文献１に開示されている従来のメダル投出装置に採用されているオーバーフローシュートは、その側端から上流端に位置する誘い込み部１０８が、図２に長丸で囲んで示すように直線部で形成されているため、図３にオーバーフローシュート１０６を受け皿１００の内側から見た側面図で、又、図４に上流端における横断面図で一部のメダルと共に示すように、誘い込み部１０８の上流端（側端でも同じ）はメダルＣの面が接すると線接触することになることから、メダルＣが重なり合うこと（ブリッジ）が起こりやすい。
【００１０】
そのため、メダルが堆積しやすく、オーバーフローシュート１０６の傾斜底部である流下部１１０にまでメダルが重なり、メダル回収箱へメダルが流れにくくなり、図５にイメージを示すように筺体へメダルＣが落下してしまうという問題があった。
【００１１】
又、このような問題点に鑑みて、特許文献２では、図６にメダル投出装置全体を斜視図で示すように、オーバーフローシュート１４２の誘い込み部先端にＶ形状の切込み部１４３を設け、受け皿内が堆積したメダルで満杯状態になると、堆積したメダルのうち、切込み部１４３付近のメダルは、切込み部に向けて投入されたメダルによって衝撃を加えられ、メダルが重なり合うこと（ブリッジ）を防止している。
【００１２】
しかしながら、このオーバーフローシュートは、Ｖ字形状の切込み部１４３へメダルをピンポイントで投入させる投入経路を有した装置にしか利用することができず、汎用性に乏しい。即ち、メダル投入位置が、Ｖ字形状の切込み部１４３から少しでもずれると、投入されたメダルが、オーバーフローシュートに衝突してしまうメダル投出装置では、受け皿が満杯状態でないにもかかわらず、メダル回収箱へとそのメダルを流下させてしまうという問題があった。
【００１３】
本発明は、前記従来の問題点を解決するべくなされたもので、基準以上のメダルを円滑に且つ確実に流下させることができるオーバーフローシュートを備えたメダル投出装置を提供することを課題とする。
【課題を解決するための手段】
【００１４】
本発明は、壁部に囲まれた貯留空間に貯留されたメダルを、下方に配設されたベースプレート上に回転可能に支持された回転ディスクに供給する受け皿と、該貯留空間に基準以上に貯留されたメダルを、該貯留空間の壁部に形成された排出口に誘導し、外部へ排出する傾斜底部を有するオーバーフローシュートとを備えたメダル投出装置において、前記オーバーフローシュートが有する傾斜底部の側端には、前記排出口に近接する下流側に上方に延びたメダル押え壁と、該メダル押え壁より上流側に上流端部まで連続した円弧形状の誘い込み部とが形成されているようにしたことにより、前記課題を解決したものである。
【００１５】
本発明は、又、前記傾斜底部は、横断面の一辺がメダル直径より短いＶ字形状に形成されているようにしてもよい。
【発明の効果】
【００１６】
本発明によれば、オーバーフローシュートが有する傾斜底部の側端には、排出口に近接する下流側に上方に延びたメダル押え壁と、該メダル押え壁より上流側に上流端部まで連続した円弧形状の誘い込み部とが形成されているようにしたので、メダル押え壁により傾斜底部へメダルが流入することを防止できるため、メダル貯留量を増大できる上に、上流側の誘い込み部にメダルが線接触することを防止できるので、基準以上のメダルを円滑に且つ確実に排出口へ流下させることができるようになった。
【図面の簡単な説明】
【００１７】
【図１】従来のメダル投出装置の概略を示す平面図
【図２】従来のメダル投出装置が備えているオーバーフローシュートの特徴を示す平面図
【図３】従来のオーバーフローシュートの問題点を示す拡大側面図
【図４】従来のオーバーフローシュートの問題点を示す断面図
【図５】従来のオーバーフローシュートの問題点を示す拡大平面図
【図６】従来の他のメダル投出装置の問題点を示す斜視図
【図７】本発明に係る一実施形態のメダル投出装置の外観を示す斜視図
【図８】本実施形態のメダル投出装置の分解斜視図
【図９】本実施形態のメダル投出装置の平面図
【図１０】図９におけるＡ−Ａ断面図
【図１１】本実施形態に適用されるオーバーフローシュートを拡大して示す斜視図
【図１２】本実施形態に適用されるオーバーフローシュートの流下部の横断面形状を示す断面図
【図１３】受け皿のスライド穴とオーバーフローシュートの係合前の分離された状態を示す斜視図
【図１４】受け皿のスライド穴にオーバーフローシュートの挟持部を挿入した状態を示す斜視図
【図１５】受け皿のスライド穴にオーバーフローシュートの挟持部を差し込んだ後、水平方向にスライドさせる状態を示す斜視図
【図１６】受け皿のスライド穴にオーバーフローシュートを係合した状態を示す斜視図
【図１７】本実施形態に適用されるオーバーフローシュートの作用を示す側面図
【図１８】図１６におけるＢ−Ｂ断面図
【図１９】本実施形態のオーバーフローシュートの作用を示す拡大平面図
【図２０】本実施形態のオーバーフローシュートの作用を示す他の拡大平面図
【発明を実施するための形態】
【００１８】
以下、図面を参照して、本発明の実施の形態について詳細に説明する。
【００１９】
図７は、本発明に係る一実施形態のメダル投出装置の全体を示す外観斜視図であり、図８は、その分解斜視図である。
【００２０】
本実施形態のメダル投出装置は、大別すると受け皿部１０と、その下に位置するベースユニット部２０と、下から全体を支持するフレーム部３０とで構成されている。
【００２１】
受け皿部１０は、メダルを貯留すると共に、下方へ供給する供給穴等が形成された受け皿１１を備えている。この受け皿１１には、メダルを貯留するための貯留空間１２が四方を囲む壁部１３により形成されている。
【００２２】
又、ベースユニット部２０は、受け皿１１の下方に配されて底部を構成するベースプレート２１と、該ベースプレート２１上に支持され、収容穴に取込んだメダルを回転に伴わせて投出しする回転ディスク２２と、該回転ディスク２２に取込まれたメダルの円周方向摺動をガイドすると共に、メダル払出し口の間隔を規制するメダルガイド２３と、この回転ディスク２２を回転駆動させる駆動装置として、ベースプレート２１の裏面に取付けられた駆動モータ２４と、回転ディスク２２の回転に伴い投出されるメダルを計数する計数装置２５と、メダル排出口付近の幅を規制する排出プレート２６等を備えている。
【００２３】
更に、フレーム部３０は、ベースユニット部２０を保持するベースフレーム３１と、受け皿部１０を係合固定する受け皿固定レバー３２等を備えている。
【００２４】
本実施形態のメダル投出装置においては、前記図７に示されるように、前記受け皿部１０に含まれるオーバーフローシュート４０が、受け皿１１における貯留空間１２の所定位置に配設され、該貯留空間１２から基準以上に貯留されたメダルＣを、排出口１４を介してメダル回収箱へと排出する経路を構成している。
【００２５】
以下、このオーバーフローシュート４０について詳述する。
【００２６】
前記受け皿部１０を上方から見た平面図を図９に、そのＡ−Ａ断面図を図１０にそれぞれ示すように、受け皿１１にはメダルＣを前記ベースプレート２１上の回転ディスク２２に供給するために、図９の左方（図１０の右方）の上流側から誘導する傾斜面１５が形成されている。
【００２７】
オーバーフローシュート４０は、受け皿１１の下流側壁部１３Ａに形成された排出口１４にメダルＣを誘導し、外部へ排出する流下部（傾斜底部）４１を有しており、傾斜面１５の下流側（傾斜下降側）の側壁部１３Ｂに沿って、該傾斜面１５より上方に上流端部４１Ａが位置するように配設されている。
【００２８】
このオーバーフローシュート４０は、図１１に前記排出口１４に取付けられる下流側から見た拡大斜視図を示すように、該排出口１４に近接する下流側に位置する流下部４１の側端には、必要以上のメダルが該流下部４１へ流れ込むことを防ぐメダル押え壁４２が立設され、上方に延びている。そして、このメダル押え壁４２より上流側の流下部４１の側端には、直線部４３を介して該側端（直線部４３）より貯留空間１２側に突出した円弧形状の誘い込み部４４が、前記上流端部４１Ａまで連続して形成されている。
【００２９】
又、前記傾斜底部である流下部４１は、横断面形状が、図１２に示すように、各一辺の長さＬ1、Ｌ2がメダルＣの直径より短い略Ｖ字形状に形成されている。
【００３０】
又、図１３に、受け皿１１と、分離された係合前のオーバーフローシュート４０との関係を示すように、オーバーフローシュート４０には、前記側壁部１３Ｂに取付ける取付面に、該取付面から離間して鉛直下方に延びる爪状の２つの挟持部４７（前記図１１には一方のみを示す）と、後述する図１９にも拡大して示すように、その各挟持部４７の近傍の水平方向に係合する係合爪部４８とが形成されている。
【００３１】
一方、受け皿１１側の対応する側壁部１３Ｂの取付面には、挟持部スライド穴１６が貫通形成されており、そこに矢印で示すようにオーバーフローシュート４０の挟持部４７を挿入し、図１４に示すように挟持部４７を下方に差し込んだ後、図１５に示すように水平方向にスライドさせることにより、係合爪部４８が受け皿１１に係合し、外れなくなることからオーバーフローシュート４０は前記図７、図９に示したように、受け皿１１の側壁部１３Ｂに密着した状態で固定される。
【００３２】
このように、本実施形態におけるオーバーフローシュート４０は、受け皿１１への取付け、取外しを簡単にできるようになっている。
【００３３】
又、前記流下部４１は、誘い込み部４４からメダル回収箱が外側に置いてある排出口１４へ向けて、メダルＣがスムーズに流れるように、例えば２０〜３０°に傾斜されている。更に、前記誘い込み部４４に形成されている連続した円弧形状の曲線部は、前記図９に併せて示したように、その接線が、メダル押え壁４２、即ち流下部４１の側端に対して、最大となる傾斜角度が、例えば４５°以下で交差する関係に形成されている。
【００３４】
又、誘い込み部４４とメダル押え壁４２の間の直線部４３は、メダル直径以下の長さで形成され、線接触することが防止されている。但し、この直線部４３は、必ずしもなくてもよい。
【００３５】
以上の構成からなる本実施形態のメダル投出装置による動作を説明する。
【００３６】
図示しない筺体に設置されているメダル投入口からメダル選別機、メダル投入経路を経て受け皿にメダルＣが投入され、その投入枚数が誘い込み部４４の高さで決まる受け皿の最大保有枚数を超える、即ちその枚数に対応する貯留高さを超えると、メダルＣはオーバーフローシュート４０の前記図９に示したような連続した円弧形状に形成された誘い込み部４４により誘導され、流下部４１を経て排出口１４から回収箱へと流れ落ちる。
【００３７】
このとき、誘い込み部４４は、連続した円弧形状に形成されているため、図１７にオーバーフローシュート４０の側面部と、図１８にそのＢ−Ｂ断面図を示すように、この稜線４４Ａにおいては点接触状態となるため、この図１８に示されるようにバランスを崩しやすいため、堆積しにくい。
【００３８】
従って、図１９にイメージを示すように、バランスを崩したメダルは、受け皿１１の貯留空間１２の方向に落下するか、スムーズにオーバーフローシュート４０の流下部４１を通って回収箱へ流れることになる。
【００３９】
又、連続した円弧形状の接線がメダル押え壁４２に対して４５°以下で交差するように形成したので、図２０に示すようにオーバーフローシュート４０にメダルＣを誘い込みやすくなり、その付近でメダルが堆積することを防止できる。
【００４０】
又、流下部４１の断面形状が、一辺の長さがメダルの直径以下のＶ字形状に形成されているので、前記図１２に示したように流下するメダルＣは流下部４１に面接触できないため、摩擦抵抗をほとんど受けないですむので、メダルをスムーズに排出口１４へと流下させるようにできる。
【００４１】
更に、オーバーフローシュート４０は、メダル投入位置が、特許文献２のようにピンポイントである必要がなく、誘い込み部４４近傍のどの位置であっても、筺体へのメダルの落下を防止することができるため、任意のメダル投出装置に適用できることから、汎用性に優れている。
【００４２】
以上詳述したように、本実施形態によれば、以下の効果が得られる。
【００４３】
メダル誘い込み部４４を、連続した円弧状に形成することにより、この稜線においてメダルが点接触になる為、バランスを崩して受け皿方向（貯留空間１２）に落下するか、スムーズにオーバーフローシュート４０を通って回収箱へ流れるようにできる。
【００４４】
また、メダルは連続した円弧形状に形成された誘い込み部に沿って流れ、且つ、その接線がメダル押え壁に対しておよそ４５°以下に交差するように形成したので、オーバーフローシュート４０にメダルが誘い込まれやすくなり、更に、流下部４１を、一辺がメダルの直径以下のＶ型断面形状にしたので、メダルは流下部４１に面接触しないことから、摩擦抵抗をほとんど受けないようにできるために、メダルはスムーズにメダル回収箱に流れ、筐体へのメダル落下は改善される。
【００４５】
以上のような効果により、メダルの誘い込みが良くなることで、メダル投入位置は制限されることがないため、投入範囲を広くすることができる。
【符号の説明】
【００４６】
１０…受け皿部
１１…受け皿
１２…貯留空間
１３…壁部
１３Ａ…下流側壁部
１３Ｂ…側壁部
１４…排出口
１５…傾斜面
１６…挟持部スライド穴
２０…ベースユニット部
２１…ベースプレート
２２…回転ディスク
２３…メダルガイド
２４…駆動モータ
２５…計数装置
２６…排出プレート
３０…フレーム部
３１…ベースフレーム
４０…オーバーフローシュート
４１…流下部
４２…メダル押え壁
４３…直線部
４４…誘い込み部
４６…取付面
４７…挟持部
４８…係合爪部
【図１】
2010282528.tif 000003
【図２】
2010282528.tif 000004
【図３】
2010282528.tif 000005
【図４】
2010282528.tif 000006
【図５】
2010282528.tif 000007
【図６】
2010282528.tif 000008
【図７】
2010282528.tif 000009
【図８】
2010282528.tif 000010
【図９】
2010282528.tif 000011
【図１０】
2010282528.tif 000012
【図１１】
2010282528.tif 000013
【図１２】
2010282528.tif 000014
【図１３】
2010282528.tif 000015
【図１４】
2010282528.tif 000016
【図１５】
2010282528.tif 000017
【図１６】
2010282528.tif 000018
【図１７】
2010282528.tif 000019
【図１８】
2010282528.tif 000020
【図１９】
2010282528.tif 000021
【図２０】
2010282528.tif 000022